(57)【特許請求の範囲】
【請求項１】
表面材を表側から被覆して成るパネル本体に照明装置が配設された複数の照明付き建築用パネルを並設した取付構造であって、
前記照明付き建築用パネルは、
パネル本体に少なくとも表側に開口する空所を複数箇所に形成し、空所に対応する位置のパネル本体に照明装置をパネル本体の表面より表側に突出しないようにして取り付け、空所の表側開口を光透過機能を有した表面構成材で覆うと共に、この表面構成材の表面をパネル本体の表面と面一にして成り、
複数のうちの少なくとも一の照明付き建築用パネルは、表側に開口する複数の空所が１／４円弧曲線状に配列されたものであり、
その他のうちの少なくとも一の照明付き建築用パネルは、表側に開口する複数の空所が直線状に配列されたものであり、
前記一の照明付き建築用パネルと前記その他のうちの一の照明付き建築用パネルとが並設されることで、前記複数の空所が連続するよう配列され、
前記各照明付き建築用パネルの組み合わせ方を変えることにより、空所の配列パターンが異なる複数の配列パターンに形成可能となるよう構成された
ことを特徴とする照明付き建築用パネルの取付構造。
【請求項２】
前記表面構成材をパネル本体の表面材の一部で構成した
ことを特徴とする請求項１記載の照明付き建築用パネルの取付構造。
【発明の詳細な説明】
【技術分野】
【０００１】
本発明は、照明付き建築用パネルの取付構造に関するものである。
【背景技術】
【０００２】
従来から、天井などを構成する建築用パネル１´に照明装置４を配設するにあたり、照明装置４が施工現場で建築用パネル１´に埋設させるタイプの場合には、図８のように建築用パネル１´に穿設した空所状の照明配設用孔１２の縁部１２ａに照明装置４の縁部４ａを覆わせて、照明配設用孔１２の切断端面１２ｂが表側に見えないようにし、誤差などがあっても良好な表面外観を確保させている（たとえば特許文献１参照）。
【０００３】
しかしながら、このように建築用パネル１´に穿設した照明配設用孔１２の縁部１２ａに照明装置４の縁部４ａを覆わせることは、建築用パネル１´の表面から少なくとも照明装置４の縁部４ａが表側に突出することになり、その建築用パネル１´の表面と照明装置４の表面とのギャップＧから、表側にいる人には照明装置４が目に付き易く、表面外観のデザイン性を低下させる要因の１つとなっている。殊に、複数の照明装置４を建築用パネル１´に配設する際には、表面外観のデザイン性はその煩雑な印象も相俟って大幅に低下してしまうのであった。
【０００４】
更に言うと、上記のように外観に目立つ照明装置４から照明光が発せられても、それは照明装置４から照明光が発せられる以上のインパクトを表側にいる人に与えることができず、照明外観（照明光が演出する外観）のデザイン性においてもいまひとつという感があった。
【特許文献１】特開２００６−２３６６６１号公報
【発明の開示】
【発明が解決しようとする課題】
【０００５】
本発明は上記の点に鑑みてなされたものであり、その目的とするところは、表面外観は勿論のこと照明外観に対しても高いデザイン性を確保できる照明装置付き建築パネルの取付構造を提供することにある。
【課題を解決するための手段】
【０００６】
上記課題を解決するために請求項１に係る照明付き建築用パネルにあっては、表面材３を表側から被覆して成るパネル本体２に照明装置４が配設された複数の照明付き建築用パネル１を並設した取付構造であって、前記照明付き建築用パネル１は、パネル本体２に少なくとも表側に開口する空所６を複数箇所に形成し、空所６に対応する位置のパネル本体２に照明装置４をパネル本体２の表面２ａより表側に突出しないようにして取り付け、空所６の表側開口６ａを光透過機能を有した表面構成材７で覆うと共に、この表面構成材７の表面７ａをパネル本体２の表面２ａと面一にして成り、複数のうちの少なくとも一の照明付き建築用パネル１は、表側に開口する複数の空所６が１／４円弧曲線状に配列されたものであり、その他のうちの少なくとも一の照明付き建築用パネル１は、表側に開口する複数の空所６が直線状に配列されたものであり、前記一の照明付き建築用パネル１と前記その他のうちの一の照明付き建築用パネル１とが並設されることで、前記複数の空所６が連続するよう配列され、前記各照明付き建築用パネル１の組み合わせ方を変えることにより、空所６の配列パターンが異なる複数の配列パターンに形成可能となるよう構成されたことを特徴とする。
【０００７】
これによると、照明付き建築用パネル１は表面材３を有するパネル本体２に照明装置４や表面構成材７を配設して製造されるものであり、施工現場で空所６の表側開口６ａに表面構成材７を覆わせる作業を行うものに比べて誤差などが発生しにくいから、空所６の端面が表側に露出しないようにできる。更に、表面構成材７はその表面７ａがパネル本体２の表面２ａと面一にされているから、従来の照明装置４がパネル本体２から表側に突出して照明装置４が目立つという事態を回避できて、デザイン性の高い良好な表面外観を確保できる。また、表面外観に目立たない照明装置４から照明光が発せられるから、あたかもパネル本体２の一部が発光するような照明外観を現出することができて、デザイン性の高い照明外観を現出することができる。
しかも、空所６の配列パターンの異なる数種の照明付き建築用パネル１を適宜並べ、各照明付き建築用パネル１を組み合わせて別種の空所の配列パターンを作成することによると、簡単且つ低コストで、照明光の演出効果を高めて照明外観のデザイン性を向上させることができる。
【０００８】
また、請求項２に係る照明付き建築用パネルの取付構造にあっては、請求項１において、表面構成材７を、パネル本体２の表面材３の一部で構成したことを特徴とする。
【０００９】
これによると、表面構成材７を別個の部材としてパネル本体２に設置しないで済むから、構成の簡略化を確保できる。また、パネル本体２の表面２ａを表面構成材７が備わる表面材３で連続するように構成できるから、より照明装置４を表面外観に目立たなくできて、表面外観や照明外観に更に高いデザイン性を備えるようにできる。
【発明の効果】
【００１０】
本発明にあっては、照明付き建築用パネルの表面外観は勿論のこと照明外観に対しても高いデザイン性を確保できる、という利点を有する。
【発明を実施するための最良の形態】
【００１１】
以下、本発明を添付図面に示す実施形態に基いて説明する。
【００１２】
図１に本発明の実施の形態の例を示す。本例の照明付き建築用パネル１は、表側に臨む表面材３を有したパネル本体２に対して照明装置４や表面構成材７を配設して製造された天井材や壁材等に使用される面状建材である。
【００１３】
詳しくは、パネル本体２はその基材５の表面に表面材３を貼着させて構成されている。このパネル本体２には少なくとも表側に開口する空所６が形成されており、本例の空所６は有底のザグリ凹所状に形成されている。照明装置４はその基体８に発光部９を有し、空所６に対応する位置のパネル本体２に、パネル本体２の表面２ａより表側に突出しないようにして取り付けられる。本例では照明装置４は凹所状の空所６の内面にその容器状の基体８を沿わせて空所６内に埋設するように（収めるように）して基材５に取り付けられている。なお、照明装置４のパネル本体２への具体的な取り付け手段としては、板金部材やねじ等の取付具を用いる方法、バネ引っ掛け等の係止・圧接手段を用いる方法、接着剤やテープ等の接着手段を用いる方法などを適用できる。また、パネル本体２の基材５はたとえば木材、樹脂、金属等で構成されて、少なくとも照明装置４を支持できる程度の剛性を有する。
【００１４】
パネル本体２の空所６の表側開口６ａには、照明装置４の発光部９からの発せられる照明光を透過できる光透過機能を有した表面構成材７が配設されて、該表側開口６ａが閉塞される。ここで、表面構成材７はその一部または全部に光透過部１０を備えた板材である。光透過部１０はたとえばアクリル、樹脂、ガラス等の光を透過できる透明材または半透明材の基材で形成することができ、また色や柄を印刷やシート貼り等にて設けることもできる。そして、空所６の表側開口６ａに配設した表面構成材７は、その表面７ａがパネル本体２の表面２ａと面一になるようにされている。すなわち、表面構成材７の外縁は空所６の表側開口６ａの内縁と同形状に形成されており、表面構成材７は空所６の表側開口６ａにぴったり嵌合するように取り付けられる。なお、表面構成材７の空所６の表側開口６ａへの具体的な取付手段としては、照明装置４と同様に、取付具、係止・圧接手段、接着手段を用いる方法を適用できる。
【００１５】
このように製造された照明付き建築用パネル１は、施工現場で空所６の表側開口６ａに表面構成材７を覆わせる作業を行うものに比べて誤差などが発生しにくいから、空所６の端面が表側に露出しないようにできたものである。また、この表面構成材７はその表面がパネル本体２の表面２ａと面一にされているから、従来の照明装置４がパネル本体２から表側に突出して目立つという事態を回避できたものであり、デザイン性の高い良好な表面外観が確保されている。そして、この照明付き建築用パネル１の照明外観は、表面外観に目立たない照明装置４から照明光が発せられるから、あたかもパネル本体２の一部が発光するようなデザイン性の高い照明外観を現出できるのである。
【００１６】
また、この照明付き建築用パネル１はその表面が面一の平面形状にされているから、一対の照明付き建築用パネル１の表面同士を合わせて表面を保護しつつ小さく纏めた状態で照明付き建築用パネル１を施工現場に搬送することができる、という利点も有するのである。
【００１７】
以下、実施の形態の他例を列挙する。先例と同様部位には同符号を付して説明を省き、異なる箇所について説明していく。
【００１８】
図２の照明付き建築用パネル１は、パネル本体２の空所６を表裏に貫通する貫通孔状に形成してある。照明装置４は、空所６の表側開口６ａに配設した表面構成材７の裏面に容器状の基体８の表端面８ａを連結させることで、パネル本体２に取り付けられている。
【００１９】
図３の照明付き建築用パネル１は、パネル本体２に貫通した貫通孔状の空所６を有し、照明装置４はその容器状の表端面８ａを空所６の裏側開口６ｂの縁部に連結させるようにしてパネル本体２に取り付けられている。
【００２０】
図４の照明付き建築用パネル１は、空所６の表側開口６ａを塞ぐ表面構成材７がパネル本体２の表面材３の一部で構成されている。すなわち、本例の表面材３はパネル本体２の基材５の全表面に貼着した化粧シート１１であり、この化粧シート１１の空所６の表側開口６ａに位置する部位が表面構成材７を構成し、この表面構成材７には照明光を透過させる光透過部１０が設けられている。詳しくは、本例では化粧シート１１の表面構成材７の構成部位全てを光透過部１０としている。本例の照明付き建築用パネル１では、表面構成材７を別個の部材としてパネル本体２に設置しないで済むから、構成の簡略化を確保できるのであり、また、パネル本体２の表面２ａを表面構成材７が備わる表面材３で連続するように構成できるから、より照明装置４を表面外観に目立たなくできて、表面外観や照明外観に更に高いデザイン性を備えるようにできる。
【００２１】
また、図５の照明付き建築用パネル１は、パネル本体２の基材５が矩形の外枠状に形成され、基材５で囲繞された部位が表裏に貫通する貫通孔状の空所６となっている。また、照明装置４は板状の基体８の表面にＬＥＤ光源で構成した複数の発光部９を備えて構成されており、パネル本体２の裏面に基体８の裏面を略面一にするようにして空所６に配設されている。パネル本体２の基材５の表面には表面構成材７を備える化粧シート１１が貼着され、化粧シート１１の表面構成材７となる部位には複数の発光部９に対応する位置にそれぞれ光透過部１０が設けられている。換言すると、各光透過部１０の真裏の位置に発光部９が位置されている。
【００２２】
本例の化粧シート１１は光透過部１０のみを茶系色の半透明部位として全体に木目調印刷が施されたフィルム材で構成されている。なお、光透過部１０は光透過性を備えるなら印刷した木目模様がかかってもよい。しかして、本例の照明付き建築用パネル１はその表面外観がいわゆる一般住宅向け建材のように木目外観とできてデザイン性に優れた良好な表面外観を現出することができたものである。しかも、一般住宅向け建材の一部が発光するような照明外観を現出することができて、デザイン性の高い照明外観を現出することができたものである。ここで、本例の照明付き建築用パネル１に備わる照明装置４は複数の発光部９を有したものであり、複数の発光部９をたとえば図６（ａ）の曲線状や図６（ａ）の直線状などの幾何学模様状に配列したり、ランダムに配列すれば、照明光の演出効果を高めよりデザイン性の高い照明外観を現出することができる。
【００２３】
更に言うと、発光部９の配列パターンの異なる数種の照明付き建築用パネル１を用意しておき、施工現場でこれら数種の照明付き建築用パネル１を適宜並べるように組み合わせて、照明付き建築用パネル１が構成する天井や壁や建物要素全体として一つの発光部９の配列パターンを形成することも好ましい。たとえば図７（ａ）の建物要素にできる円状の発光部９の配列パターンは、図６（ａ）の１／４円弧曲線状に発光部９を配列した照明付き建築用パネル１ａを、各発光部９が連続するように４枚並設させて形成したものであり、たとえば図７（ｂ）の建物要素にできる横長円状の発光部９の配列パターンは、上記図６（ａ）の照明付き建築用パネル１ａと、図６（ｂ）の横線状に発光部９を配列した照明付き建築用パネル１ｂとを、各発光部９が連続するように４枚並設させて形成したものである。このように発光部９の配列パターンの異なる数種の照明付き建築用パネル１を適宜並べ、各発光部９を組み合わせて別種の発光部９の配列パターンを作成することによると、簡単且つ低コストで、照明光の演出効果を高めて照明外観のデザイン性を向上させることができて好ましい。
【００２４】
なお、上記実施形態では化粧シート１１には木目模様が施されているが、周囲に設置される建材に融和する色や柄を施しても、良好な表面外観を確保できて好ましいのであり、また、光透過部１０として、発光部９が発光した際には照明光を通すが、発光部９の消灯時には裏側にある照明装置４を隠匿できる隠匿性を備えるようにすれば、表面外観から更に照明装置４の存在を消すことができ、表面外観、ひいては照明外観の向上を図ることができてこの好ましい。また、照明付き建築用パネル１ａはその表面を室内側に位置させたりして建物に用いても、その表面をカースペースとなる屋外側に位置させるようガレージなどで使用してもよいのは言うまでもない。
【図面の簡単な説明】
【００２５】
【図１】本発明の実施の形態の例の照明付き建築用パネルの側断面図である。
【図２】実施の形態の他例の照明付き建築用パネルの側断面図である。
【図３】実施の形態の更に他例の照明付き建築用パネルの側断面図である。
【図４】実施の形態の更に他例の照明付き建築用パネルの分解側断面図である。
【図５】実施の形態の更に他例の照明付き建築用パネルの側断面図である。
【図６】（ａ）（ｂ）は発光部の配列パターンを異ならせた同上の照明付き建築用パネルの正面図である。
【図７】（ａ）（ｂ）は特有の発光部の配列パターンを有する照明付き建築用パネルを複数並べて形成した建物要素の正面図である。
【図８】従来技術の例の照明装置を配設した建築用パネルの側断面図である。
【符号の説明】
【００２６】
１  照明付き建築用パネル
２  パネル本体
２ａ  表面
３  表面材
４  照明装置
５  基材
６  空所
６ａ  表側開口
７  表面構成材
７ａ  表面
８  基体
９  発光部
１０  光透過部
１１  化粧シート
【図１】
0004950822.tif 000002
【図２】
0004950822.tif 000003
【図３】
0004950822.tif 000004
【図４】
0004950822.tif 000005
【図５】
0004950822.tif 000006
【図６】
0004950822.tif 000007
【図７】
0004950822.tif 000008
【図８】
0004950822.tif 000009